【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  入力された検索条件に基づいて情報記憶部から検索された個々の情報を検索結果として表示する情報検索装置の情報検索方法において、
検索された前記個々の情報を互いに比較することにより、類似する個々の情報を処理ユニットがグループ化するグループ化工程と、
各グループに属する検索結果の情報が互いに近くに表示されるように、前記処理ユニットが個々の情報の表示位置を決定して表示させる検索結果表示工程とを有することを特徴とする情報検索方法。
【請求項２】  前記検索結果表示工程において、前記処理ユニットは、各グループにおいて、前記検索条件に対して最も高い一致度を持つ情報を代表情報とし、完全一致の一致度を有する情報を表示する完全一致表示位置からの表示上の距離と、前記代表情報の一致度とを対応させて該代表情報の表示位置を決定するとともに、グループに属する個々の情報の表示位置を決定することを特徴とする請求項１記載の情報検索方法。
【請求項３】  前記検索結果表示工程において、前記処理ユニットは、前記代表情報以外の情報の表示位置を、個々の情報の一致度と前記代表情報との類似度とから決定することを特徴とする請求項２記載の情報検索方法。
【請求項４】  前記検索結果表示工程において、前記処理ユニットは、前記完全一致表示位置を中心に放射状に表示されるように前記代表情報を表示させることを特徴とする請求項３記載の情報検索方法。
【請求項５】  前記グループ化工程において、前記処理ユニットは、個々の情報に対して、該情報に対して特定の値以上で最も類似度が高く且つ該情報よりも一致度の高い情報をグループ上位情報として２項関係を作成し、該２項関係を組み合わせてできるツリーを１つのグループとし、前記ツリーのルートを前記代表情報とすることを特徴とする請求項１記載の情報検索方法。
【請求項６】 請求項１乃至５のいずれか１項に記載の情報検索方法を実行するためのプログラムを記憶したコンピュータ読み出し可能な記憶媒体。
【請求項７】  入力された検索条件に基づいて情報記憶部から検索された個々の情報を検索結果として表示する情報検索装置において、
検索された前記個々の情報を互いに比較することにより、類似する個々の情報を処理ユニットがグループ化するグループ化手段と、
各グループに属する検索結果の情報が互いに近くに表示されるように、前記処理ユニットが個々の情報の表示位置を決定して表示させる検索結果表示手段とを有することを特徴とする情報検索装置。
【請求項８】  前記検索結果表示手段は、各グループにおいて、前記検索条件に対して最も高い一致度を持つ情報を代表情報とし、完全一致の一致度を有する情報を表示する完全一致表示位置からの表示上の距離と、前記代表情報の一致度とを対応させて該代表情報の表示位置を決定するとともに、グループに属する個々の情報の表示位置を決定することを特徴とする請求項７記載の情報検索装置。
【請求項９】  前記検索結果表示手段は、前記代表情報以外の情報の表示位置を、個々の情報の一致度と前記代表情報との類似度とから決定することを特徴とする請求項８記載の情報検索装置。
【請求項１０】  前記検索結果表示手段は、前記完全一致表示位置を中心に放射状に表示されるように前記代表情報を表示することを特徴とする請求項９記載の情報検索装置。
【請求項１１】  前記グループ化手段は、個々の情報に対して、該情報に対して特定の値以上で最も類似度が高く且つ該情報よりも一致度の高い情報をグループ上位情報として２項関係を作成し、該２項関係を組み合わせてできるツリーを１つのグループとし、前記ツリーのルートを前記代表情報とすることを特徴とする請求項７記載の情報検索装置。
【手続補正２】
【補正対象書類名】明細書
【補正対象項目名】０００６
【補正方法】変更
【補正の内容】
【０００６】
【課題を解決するための手段】
上記第１の目的を達成するために請求項１記載の情報検索方法は、入力された検索条件に基づいて情報記憶部から検索された個々の情報を検索結果として表示する情報検索装置の情報検索方法において、検索された前記個々の情報を互いに比較することにより、類似する個々の情報を処理ユニットがグループ化するグループ化工程と、各グループに属する検索結果の情報が互いに近くに表示されるように、前記処理ユニットが個々の情報の表示位置を決定して表示させる検索結果表示工程とを有することを特徴とする。
【手続補正３】
【補正対象書類名】明細書
【補正対象項目名】０００７
【補正方法】変更
【補正の内容】
【０００７】
また、上記第１の目的を達成するために請求項２記載の情報検索方法は、請求項１記載の情報検索方法において、前記検索結果表示工程において、前記処理ユニットは、各グループにおいて、前記検索条件に対して最も高い一致度を持つ情報を代表情報とし、完全一致の一致度を有する情報を表示する完全一致表示位置からの表示上の距離と、前記代表情報の一致度とを対応させて該代表情報の表示位置を決定するとともに、グループに属する個々の情報の表示位置を決定することを特徴とする。
【手続補正４】
【補正対象書類名】明細書
【補正対象項目名】０００８
【補正方法】変更
【補正の内容】
【０００８】
また、上記第１の目的を達成するために請求項３記載の情報検索方法は、請求項２記載の情報検索方法において、前記検索結果表示工程において、前記処理ユニットは、前記代表情報以外の情報の表示位置を、個々の情報の一致度と前記代表情報との類似度とから決定することを特徴とする。
【手続補正５】
【補正対象書類名】明細書
【補正対象項目名】０００９
【補正方法】変更
【補正の内容】
【０００９】
また、上記第１の目的を達成するために請求項４記載の情報検索方法は、請求項３記載の情報検索方法において、前記検索結果表示工程において、前記処理ユニットは、前記完全一致表示位置を中心に放射状に表示されるように前記代表情報を表示させることを特徴とする。
【手続補正６】
【補正対象書類名】明細書
【補正対象項目名】００１０
【補正方法】変更
【補正の内容】
【００１０】
また、上記第１の目的を達成するために請求項５記載の情報検索方法は、請求項１記載の情報検索方法において、前記グループ化工程において、前記処理ユニットは、個々の情報に対して、該情報に対して特定の値以上で最も類似度が高く且つ該情報よりも一致度の高い情報をグループ上位情報として２項関係を作成し、該２項関係を組み合わせてできるツリーを１つのグループとし、前記ツリーのルートを前記代表情報とすることを特徴とする。
また、上記第２の目的を達成するために請求項６記載のコンピュータ読み出し可能な記憶媒体は、請求項１乃至５のいずれか１項に記載の情報検索方法を実行するためのプログラムを記憶したことを特徴とする。
【手続補正７】
【補正対象書類名】明細書
【補正対象項目名】００１１
【補正方法】変更
【補正の内容】
【００１１】
また、上記第１の目的を達成するために請求項７記載の情報検索装置は、入力された検索条件に基づいて情報記憶部から検索された個々の情報を検索結果として表示する情報検索装置において、検索された前記個々の情報を互いに比較することにより、類似する個々の情報を処理ユニットがグループ化するグループ化手段と、各グループに属する検索結果の情報が互いに近くに表示されるように、前記処理ユニットが個々の情報の表示位置を決定して表示させる検索結果表示手段とを有することを特徴とする。
【手続補正８】
【補正対象書類名】明細書
【補正対象項目名】００１２
【補正方法】変更
【補正の内容】
【００１２】
また、上記第１の目的を達成するために請求項８記載の情報検索装置は、請求項７記載の情報検索装置において、前記検索結果表示手段は、各グループにおいて、前記検索条件に対して最も高い一致度を持つ情報を代表情報とし、完全一致の一致度を有する情報を表示する完全一致表示位置からの表示上の距離と、前記代表情報の一致度とを対応させて該代表情報の表示位置を決定するとともに、グループに属する個々の情報の表示位置を決定することを特徴とする。
【手続補正９】
【補正対象書類名】明細書
【補正対象項目名】００１３
【補正方法】変更
【補正の内容】
【００１３】
また、上記第１の目的を達成するために請求項９記載の情報検索装置は、請求項８記載の情報検索装置において、前記検索結果表示手段は、前記代表情報以外の情報の表示位置を、個々の情報の一致度と前記代表情報との類似度とから決定することを特徴とする。
【手続補正１０】
【補正対象書類名】明細書
【補正対象項目名】００１４
【補正方法】変更
【補正の内容】
【００１４】
また、上記第１の目的を達成するために請求項１０記載の情報検索装置は、請求項９記載の情報検索装置において、前記検索結果表示手段は、前記完全一致表示位置を中心に放射状に表示されるように前記代表情報を表示することを特徴とする。
【手続補正１１】
【補正対象書類名】明細書
【補正対象項目名】００１５
【補正方法】変更
【補正の内容】
【００１５】
また、上記第１の目的を達成するために請求項１１記載の情報検索装置は、請求項７記載の情報検索装置において、前記グループ化手段は、個々の情報に対して、該情報に対して特定の値以上で最も類似度が高く且つ該情報よりも一致度の高い情報をグループ上位情報として２項関係を作成し、該２項関係を組み合わせてできるツリーを１つのグループとし、前記ツリーのルートを前記代表情報とすることを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】０１５７
【補正方法】変更
【補正の内容】
【０１５７】
【発明の効果】
以上詳述したように本発明の情報検索方法及び装置によれば、検索された個々の情報を互いに比較することにより、類似する個々の情報を処理ユニットがグループ化し、各グループに属する検索結果の情報が互いに近くに表示されるように、上記処理ユニットが個々の情報の表示位置を決定して表示させるので、グループの情報を全て調べることなく、そのグループが所望の情報であるか否かを判断できるので、全ての情報を調べる必要がなく、検索結果を評価する効率を向上させることができるという効果を奏する。